【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
１又は複数の図柄を表示する図柄表示領域を備えることにより、複数の図柄を表示する図柄表示手段と、
開始操作に基づいて乱数値を抽出する乱数値抽出手段と、
前記乱数値抽出手段により抽出された乱数値に基づいて内部当選役を決定する内部当選役決定手段と、
開始操作に基づいて前記図柄表示手段により表示される図柄の変動を行う図柄変動手段と、
停止操作に基づいて前記図柄変動手段により行われる図柄の変動の停止を指令する信号を出力する停止信号出力手段と、
前記停止信号出力手段により出力される信号と前記内部当選役決定手段により決定される内部当選役とに基づいて前記図柄変動手段により行われる図柄の変動を停止制御する停止制御手段と、
前記図柄表示手段により予め定められた図柄の組合せが表示されると遊技価値を遊技者に付与する遊技価値付与手段と、
前記図柄表示手段により特定の図柄の組合せが表示されると遊技者に有利な遊技状態を作動する有利状態作動手段と、を備え、
前記内部当選役決定手段は、
前記乱数値抽出手段により抽出された１つの乱数値に基づき、
前記特定の図柄の組合せに係る内部当選役、又は、所定図柄に係る内部当選役、又は、前記特定の図柄の組合せ及び前記所定図柄の両方を含む複合役に係る内部当選役のうちのいずれかを決定可能であり、
前記複合役が決定される確率は、前記図柄表示手段により前記所定図柄が表示される個数と連動し、
前記所定図柄が表示される個数が所定個数である前記所定図柄に係る内部当選役は、前記複合役でのみ決定可能であることを特徴とする遊技機。
【請求項２】
複数の図柄を表示する図柄表示手段と、
開始操作に基づいて乱数値を抽出する乱数値抽出手段と、
前記乱数値抽出手段により抽出された乱数値と所定の内部当選役が決定される乱数値を規定する確率抽選テーブルとに基づいて内部当選役を決定する内部当選役決定手段と、
開始操作に基づいて前記図柄表示手段により表示される図柄の変動を行う図柄変動手段と、
停止操作に基づいて前記図柄変動手段により行われる図柄の変動の停止を指令する信号を出力する停止信号出力手段と、
前記停止信号出力手段により出力される信号と前記内部当選役決定手段により決定される内部当選役とに基づいて前記図柄変動手段により行われる図柄の変動を停止制御する停止制御手段と、
前記図柄表示手段により予め定められた図柄の組合せが表示されると遊技価値を遊技者に付与する遊技価値付与手段と、
前記図柄表示手段により特定の図柄の組合せが表示されると遊技者に有利な遊技状態を作動する有利状態作動手段と、を備え、
前記確率抽選テーブルは、
前記図柄表示手段により一方の個数の所定図柄が表示されることを許容するのみの内部当選役が決定される第１の乱数値と、
前記図柄表示手段により他方の個数の所定図柄が表示されることを許容するのみの内部当選役が決定される第２の乱数値と、
前記図柄表示手段により一方の個数の所定図柄が表示されることを許容する内部当選役及び前記特定の図柄の組合せに係る内部当選役が決定される第３の乱数値と、
前記図柄表示手段により他方の個数の所定図柄が表示されることを許容する内部当選役及び前記特定の図柄の組合せに係る内部当選役が決定される第４の乱数値と、
を夫々規定し、
前記第１の乱数値と前記第３の乱数値の個数の和は、前記第２の乱数値と前記第４の乱数値の個数より大きい値であり、
前記第３の乱数値の個数は、前記第４の乱数値の個数より小さい値であることを特徴とする遊技機。
【請求項３】
前記特定の図柄の組合せに係る内部当選役を持ち越す内部当選役持越手段を備え、
前記内部当選役決定手段は、前記内部当選役持越手段により前記特定の図柄の組合せに係る内部当選役が持ち越されているか否かに応じて内部当選役を決定することを特徴とする請求項１又は２記載の遊技機。
【手続補正２】
【補正対象書類名】明細書
【補正対象項目名】０００９
【補正方法】変更
【補正の内容】
【０００９】
１又は複数の図柄を表示する図柄表示領域を備えることにより、複数の図柄を表示する図柄表示手段と、開始操作に基づいて乱数値を抽出する乱数値抽出手段と、前記乱数値抽出手段により抽出された乱数値に基づいて内部当選役を決定する内部当選役決定手段と、開始操作に基づいて前記図柄表示手段により表示される図柄の変動を行う図柄変動手段と、停止操作に基づいて前記図柄変動手段により行われる図柄の変動の停止を指令する信号を出力する停止信号出力手段と、前記停止信号出力手段により出力される信号と前記内部当選役決定手段により決定される内部当選役とに基づいて前記図柄変動手段により行われる図柄の変動を停止制御する停止制御手段と、前記図柄表示手段により予め定められた図柄の組合せが表示されると遊技価値を遊技者に付与する遊技価値付与手段と、前記図柄表示手段により特定の図柄の組合せが表示されると遊技者に有利な遊技状態を作動する有利状態作動手段と、を備え、前記内部当選役決定手段は、前記乱数値抽出手段により抽出された１つの乱数値に基づき、前記特定の図柄の組合せに係る内部当選役、又は、所定図柄に係る内部当選役、又は、前記特定の図柄の組合せ及び前記所定図柄の両方を含む複合役に係る内部当選役のうちのいずれかを決定可能であり、前記複合役が決定される確率は、前記図柄表示手段により前記所定図柄が表示される個数と連動し、前記所定図柄が表示される個数が所定個数である前記所定図柄に係る内部当選役は、前記複合役でのみ決定可能であることを特徴とする遊技機。
【手続補正３】
【補正対象書類名】明細書
【補正対象項目名】００１０
【補正方法】変更
【補正の内容】
【００１０】
この遊技機によれば、内部当選役決定手段は、乱数値抽出手段により抽出された１つの乱数値に基づき、特定の図柄の組合せに係る内部当選役、又は、所定図柄に係る内部当選役、又は、特定の図柄の組合せ及び所定図柄の両方を含む複合役に係る内部当選役のうちのいずれかを決定可能であるので、遊技者は特定の図柄の組合せ及び所定図柄を表示させることが可能となり、所定図柄が表示されると、遊技者に有利な遊技状態の作動に係る特定の図柄の組合せも表示可能であるかもしれないという期待感を遊技者に抱かせることができる。したがって、単位遊技の結果にかかわらず、遊技者の期待感を維持することが可能となる。また、特定の図柄の組合せに係る内部当選役が決定される確率は、図柄表示手段により所定図柄が表示される個数と連動し、所定図柄が表示される個数が所定個数である所定図柄に係る内部当選役は、複合役でのみ決定可能であるので、所定図柄が表示された個数によって、遊技者に有利な遊技状態の作動に係る内部当選役が決定されていることへの期待度を異ならせることができ、特に、所定図柄が表示される個数が所定個数である場合には、必ず遊技者に有利な遊技状態の作動に係る内部当選役が決定されているので、遊技の興趣を向上させることができる。
【手続補正４】
【補正対象書類名】明細書
【補正対象項目名】００１１
【補正方法】変更
【補正の内容】
【００１１】
複数の図柄を表示する図柄表示手段と、開始操作に基づいて乱数値を抽出する乱数値抽出手段と、前記乱数値抽出手段により抽出された乱数値と所定の内部当選役が決定される乱数値を規定する確率抽選テーブルとに基づいて内部当選役を決定する内部当選役決定手段と、開始操作に基づいて前記図柄表示手段により表示される図柄の変動を行う図柄変動手段と、停止操作に基づいて前記図柄変動手段により行われる図柄の変動の停止を指令する信号を出力する停止信号出力手段と、前記停止信号出力手段により出力される信号と前記内部当選役決定手段により決定される内部当選役とに基づいて前記図柄変動手段により行われる図柄の変動を停止制御する停止制御手段と、前記図柄表示手段により予め定められた図柄の組合せが表示されると遊技価値を遊技者に付与する遊技価値付与手段と、前記図柄表示手段により特定の図柄の組合せが表示されると遊技者に有利な遊技状態を作動する有利状態作動手段と、を備え、前記確率抽選テーブルは、前記図柄表示手段により一方の個数の所定図柄が表示されることを許容するのみの内部当選役が決定される第１の乱数値と、前記図柄表示手段により他方の個数の所定図柄が表示されることを許容するのみの内部当選役が決定される第２の乱数値と、前記図柄表示手段により一方の個数の所定図柄が表示されることを許容する内部当選役及び前記特定の図柄の組合せに係る内部当選役が決定される第３の乱数値と、前記図柄表示手段により他方の個数の所定図柄が表示されることを許容する内部当選役及び前記特定の図柄の組合せに係る内部当選役が決定される第４の乱数値と、を夫々規定し、前記第１の乱数値と前記第３の乱数値の個数の和は、前記第２の乱数値と前記第４の乱数値の個数より大きい値であり、前記第３の乱数値の個数は、前記第４の乱数値の個数より小さい値であることを特徴とする遊技機。